【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
インクタンクに設けられたインク供給口から供給されるインクの流路にフィルターを固定するためのフィルター固定部が設けられた記録ヘッドにおいて、
前記フィルター固定部に、前記流路の周囲に環状に配置されている第１の突起部と、前記流路の周囲に位置しかつ前記第１の突起部の内側に位置する環状の第２の突起部と、を設け、
前記第１の突起部は、熱により溶融して前記フィルターを固定する第１の先端部を有し、前記第２の突起部は、熱により溶融して前記フィルターを固定し、かつ溶融量が前記第１の先端部よりも少ない第２の先端部を有することを特徴とする記録ヘッド。
【請求項２】
前記第２の突起部における溶融前の高さが前記第１の突起部における溶融前の高さよりも低く形成されていることを特徴とする請求項１に記載の記録ヘッド。
【請求項３】
前記第２の突起部の幅が前記第１の突起部の幅よりも小さく形成されていることを特徴とする請求項１または２に記載の記録ヘッド。
【請求項４】
前記フィルターは、前記第１の突起部に接する部分と前記第２の突起部に接する部分とが段差を形成するような形状を備えることを特徴とする請求項１から３のいずれかに記載の記録ヘッド。
【請求項５】
前記第１の突起部と前記第２の突起部とはフィラー材が添加されている樹脂からなり、前記第２の突起部における第２の先端部が溶融して前記フィルターの内方へ部分的に入り込む長さは、前記フィラー材の長手方向の長さより小さいことを特徴とする請求項１から４のいずれかに記載の記録ヘッド。
【請求項６】
前記第１の突起部と前記第２の突起部とはフィラー材が添加されている樹脂からなり、前記第２の突起部の幅は前記フィラー材の長手方向の長さより小さいことを特徴とする請求項１から５のいずれかに記載の記録ヘッド。
【請求項７】
インクを収容するインクタンクと一体に構成されていることを特徴とする請求項１から６のいずれかに記載の記録ヘッド。
【請求項８】
インクを吐出可能なインク吐出口を有することを特徴とする請求項１から７のいずれかに記載の記録ヘッド。
【請求項９】
インク供給口から供給するインクの流路にフィルターを固定するためのフィルター固定部が設けられたインクタンクにおいて、
前記フィルター固定部に、前記流路の周囲に環状に配置されている第１の突起部と、前記流路の周囲に位置しかつ前記第１の突起部の内側に位置する環状の第２の突起部と、を設け、
前記第１の突起部は、熱により溶融して前記フィルターを固定する第１の先端部を有し、前記第２の突起部は、熱により溶融して前記フィルターを固定しかつ溶融量が前記第１の先端部よりも少ない第２の先端部を有することを特徴とするインクタンク。
【請求項１０】
前記第２の突起部における溶融前の高さが前記第１の突起部における溶融前の高さよりも低く形成されていることを特徴とする請求項９に記載のインクタンク。
【請求項１１】
前記第２の突起部の幅が前記第１の突起部の幅よりも小さく形成されていることを特徴とする請求項９または１０に記載のインクタンク。
【請求項１２】
前記フィルターは、前記第１の突起部に接する部分と前記第２の突起部に接する部分とが段差を形成するような形状を備えることを特徴とする請求項９から１１のいずれかに記載のインクタンク。
【請求項１３】
前記第１の突起部と前記第２の突起部とはフィラー材が添加されている樹脂からなり、前記第２の突起部における第２の先端部が溶融して前記フィルターの内方へ部分的に入り込む長さは、前記フィラー材の長手方向の長さより小さいことを特徴とする請求項９から１２のいずれかに記載のインクタンク。
【請求項１４】
前記第１の突起部と前記第２の突起部とはフィラー材が添加されている樹脂からなり、前記第２の突起部の幅は前記フィラー材の長手方向の長さより小さいことを特徴とする請求項９から１３のいずれかに記載のインクタンク。
【請求項１５】
インクタンクに設けられたインク供給口から供給されるインクの流路でフィルターがフィルター固定部に固定される記録ヘッドの製造方法において、
前記フィルター固定部は、前記流路の周囲に環状に配置されている第１の突起部と、前記流路の周囲に位置しかつ前記第１の突起部の内側に位置する環状の第２の突起部と、を有し、
前記フィルターを固定する際に、前記フィルターを加熱して前記第１及び第２の突起部の先端部に押し付けることにより、前記第１の突起部の先端部を溶融させて前記フィルターに溶着させ、かつ前記第２の突起部の先端部を前記第１の突起部の先端部よりも少ない量だけ溶融させて前記フィルターに入り込ませることを特徴とする記録ヘッドの製造方法。
【請求項１６】
前記フィルターを前記フィルター固定部に溶着させる際に、前記フィルターの高さを検知し、前記フィルターの高さデータから前記第１の突起部および前記第２の突起部を一定量だけ溶融させるように前記フィルターを前記フィルター固定部に押し込むことを特徴とする請求項１５に記載の記録ヘッドの製造方法。
【請求項１７】
前記フィルターを前記フィルター固定部に固定する際に、前記第２の突起部の高さに対応する量だけ前記第２の突起部を溶融させるように前記フィルターを前記第１及び第２の突起部に押し付けることを特徴とする請求項１５または１６に記載の記録ヘッドの製造方法。
【請求項１８】
前記フィルターを前記フィルター固定部に固定する際に、熱溶着ホーンによって前記フィルターを熱した状態に保持したまま、前記フィルターを前記第１の突起部および前記第２の突起部に押し当てることを特徴とする請求項１５から１７のいずれかに記載の記録ヘッドの製造方法。
【請求項１９】
インク供給口から供給するインクの流路でフィルターがフィルター固定部に固定されるインクタンクの製造方法において、
前記フィルター固定部は、前記流路の周囲に環状に配置されている第１の突起部と、前記流路の周囲に位置しかつ前記第１の突起部の内側に位置する環状の第２の突起部と、を有し、
前記フィルターを固定する際に、前記フィルターを加熱して前記第１及び第２の突起部の先端部に押し付けることにより、前記第１の突起部の先端部を溶融させて前記フィルターに溶着させ、かつ前記第２の突起部の先端部を前記第１の突起部の先端部よりも少ない量だけ溶融させて前記フィルターの内方に部分的に入り込ませることを特徴とするインクタンクの製造方法。
【請求項２０】
前記フィルターを前記フィルター固定部に溶着させる際に、前記フィルターの高さを検知し、前記フィルターの高さデータから前記第１の突起部および前記第２の突起部を一定量だけ溶融させるように前記フィルターを前記フィルター固定部に押し込むことを特徴とする請求項１９に記載のインクタンクの製造方法。
【請求項２１】
前記フィルターを前記フィルター固定部に固定する際に、前記第２の突起部の高さに対応する量だけ前記第２の突起部を溶融させるように前記フィルターを前記第１及び第２の突起部に押し付けることを特徴とする請求項１９または２０に記載のインクタンクの製造方法。
【請求項２２】
前記フィルターを前記フィルター固定部に固定する際に、熱溶着ホーンによって前記フィルターを熱した状態に保持したまま、前記フィルターを前記第１の突起部および前記第２の突起部に押し当てることを特徴とする請求項１９から２１のいずれかに記載のインクタンクの製造方法。
【手続補正２】
【補正対象書類名】明細書
【補正対象項目名】００１６
【補正方法】変更
【補正の内容】
【００１６】
本発明の記録ヘッドは、インクタンクに設けられたインク供給口から供給されるインクの流路にフィルターを固定するためのフィルター固定部が設けられた記録ヘッドにおいて、前記フィルター固定部に、前記流路の周囲に環状に配置されている第１の突起部と、前記流路の周囲に位置しかつ前記第１の突起部の内側に位置する環状の第２の突起部と、を設け、前記第１の突起部は、熱により溶融して前記フィルターを固定する第１の先端部を有し、前記第２の突起部は、熱により溶融して前記フィルターを固定し、かつ溶融量が前記第１の先端部よりも少ない第２の先端部を有することを特徴とする。
【手続補正３】
【補正対象書類名】明細書
【補正対象項目名】００１７
【補正方法】変更
【補正の内容】
【００１７】
また、本発明のインクタンクは、インク供給口から供給するインクの流路にフィルターを固定するためのフィルター固定部が設けられたインクタンクにおいて、前記フィルター固定部に、前記流路の周囲に環状に配置されている第１の突起部と、前記流路の周囲に位置しかつ前記第１の突起部の内側に位置する環状の第２の突起部と、を設け、前記第１の突起部は、熱により溶融して前記フィルターを固定する第１の先端部を有し、前記第２の突起部は、熱により溶融して前記フィルターを固定しかつ溶融量が前記第１の先端部よりも少ない第２の先端部を有することを特徴とする。
【手続補正４】
【補正対象書類名】明細書
【補正対象項目名】００１８
【補正方法】変更
【補正の内容】
【００１８】
また、本発明の記録ヘッドの製造方法は、インクタンクに設けられたインク供給口から供給されるインクの流路でフィルターがフィルター固定部に固定される記録ヘッドの製造方法において、前記フィルター固定部は、前記流路の周囲に環状に配置されている第１の突起部と、前記流路の周囲に位置しかつ前記第１の突起部の内側に位置する環状の第２の突起部と、を有し、前記フィルターを固定する際に、前記フィルターを加熱して前記第１及び第２の突起部の先端部に押し付けることにより、前記第１の突起部の先端部を溶融させて前記フィルターに溶着させ、かつ前記第２の突起部の先端部を前記第１の突起部の先端部よりも少ない量だけ溶融させて前記フィルターに入り込ませることを特徴とする。
【手続補正５】
【補正対象書類名】明細書
【補正対象項目名】００１９
【補正方法】変更
【補正の内容】
【００１９】
また、本発明のインクタンクの製造方法は、インク供給口から供給するインクの流路でフィルターがフィルター固定部に固定されるインクタンクの製造方法において、前記フィルター固定部は、前記流路の周囲に環状に配置されている第１の突起部と、前記流路の周囲に位置しかつ前記第１の突起部の内側に位置する環状の第２の突起部と、を有し、前記フィルターを固定する際に、前記フィルターを加熱して前記第１及び第２の突起部の先端部に押し付けることにより、前記第１の突起部の先端部を溶融させて前記フィルターに溶着させ、かつ前記第２の突起部の先端部を前記第１の突起部の先端部よりも少ない量だけ溶融させて前記フィルターの内方に部分的に入り込ませることを特徴とする。